(57)【特許請求の範囲】
【請求項１】
印刷物を読み取った第１の読取画像を取得する読取画像取得部と、
前記印刷物の生成元の元画像に基づいて、基準画像を生成する基準画像生成部と、
１種類以上の閾値で構成される閾値情報と、前記第１の読取画像と前記基準画像との差分を示す差分画像と、に基づいて、前記印刷物を検査する検査部と、
検査結果とユーザの目視による確認結果との間に矛盾が生じている前記印刷物上の領域を特定する特定部と、
前記領域での前記矛盾を解消するように前記閾値情報を変更する変更部と、
を備え、
前記読取画像取得部は、前記領域が指定された前記印刷物を読み取った第２の読取画像を更に取得し、
前記特定部は、前記第２の読取画像に基づいて、前記領域を特定する、
検査装置。
【請求項２】
前記領域を指定する指定操作を受け付ける受付部を更に備え、
前記特定部は、前記指定操作に基づいて、前記領域を特定する請求項１に記載の検査装置。
【請求項３】
前記領域は、前記印刷物に付与されたシンボルで指定され、
前記特定部は、前記第２の読取画像上で前記シンボルを検出し、当該シンボルに基づいて前記領域を特定する請求項１に記載の検査装置。
【請求項４】
前記特定部は、前記シンボルの種別に応じた特定方法で、前記領域を特定する請求項３に記載の検査装置。
【請求項５】
前記変更部は、前記シンボルの属性に基づいて、前記領域での前記検査結果の矛盾を解消するように前記閾値情報を変更する請求項３又は４に記載の検査装置。
【請求項６】
前記変更部は、前記領域が欠陥領域であることを前記検査結果が示す場合、前記領域が非欠陥領域となるように前記閾値情報を変更する請求項１〜５のいずれか１つに記載の検査装置。
【請求項７】
前記変更部は、前記領域が非欠陥領域であることを前記検査結果が示す場合、前記領域が欠陥領域となるように前記閾値情報を変更する請求項１〜６のいずれか１つに記載の検査装置。
【請求項８】
前記検査部は、前記変更された閾値情報と、前記差分画像とに基づいて、前記印刷物を再検査し、
再検査結果を表示部に表示する表示制御部を更に備える請求項１〜７のいずれか１つに記載の検査装置。
【請求項９】
印刷物を読み取った読取画像を取得する読取画像取得ステップと、
前記印刷物の生成元の元画像に基づいて、基準画像を生成する基準画像生成ステップと、
１種類以上の閾値で構成される閾値情報と、前記読取画像と前記基準画像との差分を示す差分画像と、に基づいて、前記印刷物を検査する検査ステップと、
検査結果とユーザの目視による確認結果との間に矛盾が生じている前記印刷物上の領域を特定する特定ステップと、
前記領域での前記矛盾を解消するように前記閾値情報を変更する変更ステップと、
を含み、
前記読取画像取得ステップは、前記領域が指定された前記印刷物を読み取った第２の読取画像を更に取得し、
前記特定ステップは、前記第２の読取画像に基づいて、前記領域を特定する、
閾値変更方法。
【請求項１０】
印刷物を読み取った第１の読取画像を取得する読取画像取得ステップと、
前記印刷物の生成元の元画像に基づいて、基準画像を生成する基準画像生成ステップと、
１種類以上の閾値で構成される閾値情報と、前記第１の読取画像と前記基準画像との差分を示す差分画像と、に基づいて、前記印刷物を検査する検査ステップと、
検査結果とユーザの目視による確認結果との間に矛盾が生じている前記印刷物上の領域を特定する特定ステップと、
前記領域での前記矛盾を解消するように前記閾値情報を変更する変更ステップと、
をコンピュータに実行させ、
前記読取画像取得ステップは、前記領域が指定された前記印刷物を読み取った第２の読取画像を更に取得し、
前記特定ステップは、前記第２の読取画像に基づいて、前記領域を特定する、
ためのプログラム。
【発明の詳細な説明】
【技術分野】
【０００１】
本発明は、検査装置、閾値変更方法及びプログラムに関する。
【背景技術】
【０００２】
プロダクションプリンティングにおいては、プリンタの印刷出力に対して何らかの検査を行う要求がある。例えば、プリンタの印刷出力をカメラやスキャナなどのラインセンサ等で読み取り、読み取り結果と１種類以上の閾値で構成される閾値情報とに基づいて、印刷が正常に行われているか否かを検査する検査装置がある。
【０００３】
上述のような閾値情報を変更する技術として、例えば特許文献１には、原稿画像データおよび検査画像データに基づいて画像欠陥を検出して、印刷物の品質を複数の閾値に基づいて、良品クラス、不良クラス、または良品クラスと不良クラスとの間の品質を有する中間品質クラスに分別する品質決定手段と、印刷物の画像欠陥の種類毎における画像欠陥のレベルに関する情報、及び、印刷物の各品質クラスの枚数に関する情報を含むログ情報を保持する記憶手段と、印刷物の各品質クラスの枚数を表示する表示手段と、を有し、表示手段は、ユーザに閾値を変更させるための表示を提示するとともに、ユーザにより閾値が変更された場合に、変更後の閾値に応じた各品質クラスの枚数に編集し直して表示する印刷物検査制御装置が開示されている。
【発明の概要】
【発明が解決しようとする課題】
【０００４】
しかしながら、上述したような従来技術において、ユーザの意図した検査結果となるように閾値情報を変更するためには、専門的な知識が求められ、大変手間を要する。
【０００５】
本発明は、上記に鑑みてなされたものであって、印刷物の検査に用いられる閾値情報をユーザの意図に沿った値に容易に変更できる検査装置、閾値変更方法及びプログラムを提供することを目的とする。
【課題を解決するための手段】
【０００６】
上述した課題を解決し、目的を達成するために、本発明の一態様にかかる検査装置は、印刷物を読み取った第１の読取画像を取得する読取画像取得部と、前記印刷物の生成元の元画像に基づいて、基準画像を生成する基準画像生成部と、１種類以上の閾値で構成される閾値情報と、前記第１の読取画像と前記基準画像との差分を示す差分画像と、に基づいて、前記印刷物を検査する検査部と、検査結果とユーザの目視による確認結果との間に矛盾が生じている前記印刷物上の領域を特定する特定部と、前記領域での前記矛盾を解消するように前記閾値情報を変更する変更部と、を備え、前記読取画像取得部は、前記領域が指定された前記印刷物を読み取った第２の読取画像を更に取得し、前記特定部は、前記第２の読取画像に基づいて、前記領域を特定する。
【発明の効果】
【０００７】
本発明によれば、印刷物の検査に用いられる閾値情報をユーザの意図に沿った値に容易に変更できるという効果を奏する。
【図面の簡単な説明】
【０００８】
【図１】図１は、印刷検査システムの構成を示すブロック図である。
【図２】図２は、プリントエンジン及び印刷検査装置の機械的な構成を示す図である。
【図３】図３は、印刷検査装置のハードウェア構成例を示すブロック図である。
【図４】図４は、エンジンコントローラ、プリントエンジン及び印刷検査装置の機能構成例を示すブロック図である。
【図５】図５は、印刷検査装置の処理例を示すフローチャートである。
【図６】図６は、検査部の検査結果の画面例を示す図である。
【図７】図７は、ギャップ領域の指定方法例の説明図である。
【図８】図８は、検査部が保持する閾値情報を例示する図表である。
【図９】図９は、種別判定閾値情報を示す図表である。
【図１０】図１０は、縦線の欠陥候補の判別手法例の説明図である。
【図１１】図１１は、横線の欠陥候補の判別手法例の説明図である。
【図１２】図１２は、点状欠陥の欠陥候補の判別手法例の説明図である。
【図１３】図１３は、ギャップ領域が欠陥領域の場合に、非欠陥領域となるように閾値情報を変更する場合の変更手法例の説明図である。
【図１４】図１４は、ギャップ領域が非欠陥領域の場合に、欠陥領域となるように閾値情報を変更する場合の変更手法例の説明図である。
【図１５】図１５は、図５で説明した処理例以降の印刷検査装置の処理例を示すフローチャートである。
【図１６】図１６は、影響領域に関する情報の画面例を示す図である。
【図１７】図１７は、閾値情報変更確認画面例を示す図である。
【図１８】図１８は、エンジンコントローラ、プリントエンジン及び印刷検査装置の機能構成例を示すブロック図である。
【図１９】図１９は、印刷物上のギャップ領域をユーザがペンでしるしを付与することで指定する方法の説明図である。
【図２０】図２０は、シンボルがペンによるしるしである場合のギャップ領域の特定手法の説明図である。
【図２１】図２１は、シンボルがペンによるしるしである場合のギャップ領域の特定処理を示すフローチャートである。
【図２２】図２２は、ＲＧＢデータテーブルを例示する図表である。
【図２３】図２３は、ギャップ領域一覧の具体例を示す図表である。
【図２４】図２４は、シンボルが付箋によるしるしである場合のギャップ領域の特定手法の説明図である。
【図２５】図２５は、シンボルが付箋及びペンによるしるしである場合のギャップ領域の特定手法の説明図である。
【発明を実施するための形態】
【０００９】
以下に添付図面を参照して、本発明にかかる検査装置、閾値変更方法及びプログラムの実施の形態を詳細に説明する。
【００１０】
（第１実施形態）
図１は、印刷検査システム９の構成を示すブロック図である。図１に示すように、印刷検査システム９は、例えば、ＤＦＥ（Digital  Front  End）１、エンジンコントローラ２、プリントエンジン３、印刷検査装置４（検査装置の一例）、及び情報処理装置５を有する。
【００１１】
ＤＦＥ１は、受信した印刷ジョブに基づいて印刷出力するべきビットマップデータ（元画像の一例）を生成し、生成したビットマップデータをエンジンコントローラ２に出力する。
【００１２】
エンジンコントローラ２は、ＤＦＥ１から受信したビットマップデータに基づいてプリントエンジン３を制御して画像形成出力を実行させる。また、エンジンコントローラ２は、ＤＦＥ１から受信したビットマップデータを印刷検査装置４に送信する。
【００１３】
プリントエンジン３は、エンジンコントローラ２の制御に従い、ビットマップデータに基づいて画像形成出力を実行し、印刷物を生成する画像形成装置である。
【００１４】
印刷検査装置４は、エンジンコントローラ２から受信したビットマップデータに基づいてマスター画像（基準画像の一例）を生成し、プリントエンジン３が生成した印刷物を電気的に読み取って生成した読取画像と比較することにより、当該印刷物を検査する。そして、印刷検査装置４は、欠陥がある印刷物を示す情報（例えば、当該印刷物のページを示す情報）など検査結果をエンジンコントローラ２に通知する。これにより、エンジンコントローラ２は、欠陥がある印刷物の再印刷制御を実行できる。
【００１５】
情報処理装置５は、ＷＡＮ（Wide  Area  Network）などのネットワークを介してエンジンコントローラ２との間で通信を行う。情報処理装置５は、ＰＣ（Personal  Computer）等の一般的な情報処理装置によって構成される。情報処理装置５は、エンジンコントローラ２から、印刷検査装置４による検査結果に応じて、例えば、欠陥がある印刷物の画像情報を受信する。
【００１６】
図２は、プリントエンジン３及び印刷検査装置４の機械的な構成を示す図である。プリントエンジン３は、無端状移動手段である搬送ベルト１０１に沿って各色の感光体ドラム１０２Ｙ、１０２Ｍ、１０２Ｃ、１０２Ｋ（以降、総じて感光体ドラム１０２とする）が並べられた構成を備えるものであり、所謂タンデムタイプといわれるものである。すなわち、搬送ベルト１０１に沿って、この搬送ベルト１０１の搬送方向の上流側から順に、複数の感光体ドラム１０２Ｙ、１０２Ｍ、１０２Ｃ、１０２Ｋが配列されている。
【００１７】
各色の感光体ドラム１０２の表面においてトナーにより現像された各色の画像が、搬送ベルト１０１に重ね合わせられて転写されることによりフルカラーの中間転写画像が形成される。そのようにして搬送ベルト１０１上に形成されたフルカラーの中間転写画像は、図中に破線で示す用紙の搬送経路と最も接近する位置において、転写ローラ１０４の機能により、給紙トレイ１０３から経路上を搬送されてきた用紙の紙面上に転写される。
【００１８】
紙面上に画像が形成された用紙は更に搬送され、定着ローラ１０５にて画像が定着された後、印刷検査装置４に搬送される。また、両面印刷の場合、片面上に画像が形成されて定着された用紙は反転パス１０６に搬送され、反転された上で再度転写ローラ１０４の転写位置に搬送される。
【００１９】
なお、プリントエンジン３は、プリントエンジン３のユーザインターフェイス（ＵＩ）である操作表示部３０２を備える。
【００２０】
印刷検査装置４内部における用紙の搬送経路において用紙の両面側にそれぞれ設けられた読取装置４０１ａ、４０１ｂは、プリントエンジン３から搬送された用紙のそれぞれの面を読み取る。読取装置４０１ａ、４０１ｂによって紙面が読み取られた用紙は印刷検査装置４内部を更に搬送され、スタッカ６に搬送され、排紙トレイ６０１に排出される。
【００２１】
図３は、印刷検査装置４のハードウェア構成例を示すブロック図である。印刷検査装置４は、一般的なＰＣやサーバー等の情報処理装置と同様の構成を有する。即ち、印刷検査装置４は、ＣＰＵ（Central  Processing  Unit）１０、ＲＡＭ（Random  Access  Memory）２０、ＲＯＭ（Read  Only  Memory）３０、ＨＤＤ（Hard  Disk  Drive）４０及びインターフェイス（Ｉ／Ｆ）５０がバス９０を介して接続されている。また、Ｉ／Ｆ５０には、表示部６０、操作部７０及び専用デバイス８０が接続されている。
【００２２】
ＣＰＵ１０は演算手段であり、印刷検査装置４全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。
【００２３】
ＨＤＤ４０は、情報の読み書きが可能な不揮発性の記憶媒体であり、ＯＳ（Operating  System）や各種の制御プログラム、アプリケーション・プログラム等が格納されている。Ｉ／Ｆ５０は、バス９０と各種のハードウェアやネットワーク等を接続し制御する。
【００２４】
表示部６０は、ユーザが印刷検査装置４の状態を確認するための視覚的ユーザインターフェイスであり、例えばＬＣＤなどである。操作部７０は、キーボードやマウス等、ユーザーが印刷検査装置４に情報を入力するためのユーザインターフェイスである。
【００２５】
専用デバイス８０は、専用の機能を実現するためのハードウェアであり、ＡＳＩＣ（Application  Specific  Integrated  Circuit）などの高速に画像処理を行うための専用の演算装置やスキャナ装置などが挙げられる。
【００２６】
このようなハードウェア構成において、ＲＯＭ３０やＨＤＤ４０又は光学ディスク等の記録媒体に格納されたプログラムがＲＡＭ２０に読み出され、ＣＰＵ１０がそれらのプログラムに従って演算を行うことにより、ソフトウェア制御部が構成される。
【００２７】
なお、エンジンコントローラ２やプリントエンジン３についても、図３に示すハードウェア構成を採用できる。プリントエンジン３の場合、専用デバイス８０は、用紙を搬送する搬送機構やプロッタ装置などが挙げられる。エンジンコントローラ２の場合、ＡＳＩＣなどの高速に画像処理を行うための専用の演算装置などが挙げられる。
【００２８】
図４は、エンジンコントローラ２、プリントエンジン３及び印刷検査装置４の機能構成例を示すブロック図である。図４においては、データの送受信を実線で、用紙の流れを破線で示している。なお、エンジンコントローラ２、プリントエンジン３及び印刷検査装置４がそれぞれ実行する各機能は、ハードウェアによって構成されてもよいし、ソフトウェアによって構成されてもよい。
【００２９】
エンジンコントローラ２は、データ取得部２０１、エンジン制御部２０２、及びビットマップ送信部２０３を含む。プリントエンジン３は、印刷部３０１を含む。印刷検査装置４は、読取部４０１、読取画像取得部４０２、マスター画像生成部４０３（基準画像生成部の一例）、検査部４０４、比較部４０５、表示制御部４０６、受付部４０７、特定部４０８及び変更部４０９を含む。エンジンコントローラ２、プリントエンジン３及び印刷検査装置４がそれぞれ実行する各機能は、ハードウェアによって構成されてもよいし、ソフトウェアによって構成されてもよい。
【００３０】
データ取得部２０１は、ＤＦＥ１から入力されるビットマップデータを取得し、エンジン制御部２０２及びビットマップ送信部２０３をそれぞれ動作させる。ビットマップデータは、画像形成出力するべき画像を構成する各画素の情報である。エンジン制御部２０２は、データ取得部２０１から転送されたビットマップデータに基づき、プリントエンジン３に画像形成出力を実行させる。ビットマップ送信部２０３は、データ取得部２０１が取得したビットマップデータを、マスター画像生成の為に印刷検査装置４に送信する。
【００３１】
印刷部３０１は、エンジンコントローラ２から入力されるビットマップデータを取得し、用紙に対して当該ビットマップデータに基づく画像形成出力を実行し、当該ビットマップデータに基づく画像が形成された印刷物を生成し、出力する。印刷部３０１は、例えば、感光体ドラム１０２、搬送ベルト１０１、転写ローラ１０４、定着ローラ１０５などにより実現できる。印刷部３０１は、電子写真方式の一般的な画像形成機構によって実現されるが、インクジェット方式等の他の画像形成機構を有するものであってもよい。
【００３２】
読取部４０１は、印刷部３０１によって生成された印刷物を読み取って読取画像を生成し、出力する。読取部４０１は、例えば、読取装置４０１ａ、４０１ｂや専用デバイス８０により実現できる。
【００３３】
読取画像取得部４０２は、印刷物を読み取った読取画像（第１の読取画像の一例）を取得する。具体的には、読取画像取得部４０２は、読取部４０１から印刷物の読取画像を取得し、検査部４０４へ出力する。
【００３４】
マスター画像生成部４０３は、印刷物の生成元の元画像に基づいて、基準画像を生成する。具体的には、マスター画像生成部４０３は、エンジンコントローラ２からビットマップデータを受信し、当該ビットマップデータに対し、多値変換処理、平滑化処理、解像度変換処理、及び色変換処理などの各種画像処理を施し、マスター画像を生成する。
【００３５】
検査部４０４は、１種類以上の閾値で構成される閾値情報と、読取画像取得部４０２により取得された読取画像とマスター画像生成部４０３により生成されたマスター画像との差分を示す差分画像と、に基づいて、印刷物を検査する。
【００３６】
具体的には、検査部４０４は、読取画像取得部４０２により取得された読取画像及びマスター画像生成部４０３により生成されたマスター画像を比較部４０５に出力する。比較部４０５は、検査部４０４から入力された読取画像及びマスター画像を対応する画素毎に比較し、画素毎に画素値の差分値を算出することで、各画像の差分値で構成される差分画像を生成し、検査部４０４に出力する。第１実施形態では、読取画像及びマスター画像は、それぞれ、ＲＧＢ各色８ｂｉｔで表現された２００ｄｐｉの画像であるものとするが、これに限定されるものではない。また第１実施形態では、比較部４０５は、膨大な計算量を迅速に処理するために、例えば、ＡＳＩＣなどの専用デバイス８０によって構成されるものとするが、これに限定されるものではない。
【００３７】
検査部４０４は、比較部４０５から入力された差分画像に対し、所定範囲毎に、当該所定範囲を構成する画素の差分値の合計値を算出して、欠陥候補領域検出用の閾値と比較し、合計値が欠陥候補領域検出用の閾値以上であれば、当該所定範囲を欠陥候補領域とする。所定範囲としては、例えば、数ドット四方〜数十ドット四方又は百数十ドット四方の範囲である。
【００３８】
ここで、閾値情報について説明する。閾値情報を構成する１種類以上の閾値としては、欠陥の種別毎に、当該種別の欠陥であるか否かを判定するための面積閾値などが挙げられるが、これに限定されるものではない。面積閾値としては、例えば、異常画素で構成される異常画素群が点状欠陥であるか否かを判定するための点面積閾値、異常画素群が横線状欠陥であるか否かを判定するための横線面積閾値、異常画素群が縦線状欠陥であるか否かを判定するための縦線面積閾値、異常画素群の濃度が濃いことによる第１濃度欠陥であるか否かを判定するための第１濃度面積閾値、及び異常画素群の濃度が薄いことによる第２濃度欠陥であるか否かを判定するための第２濃度面積閾値などが挙げられる。
【００３９】
第１実施形態では、閾値情報を構成する１種類以上の閾値が、欠陥候補領域を構成する画素が異常画素であるか否かを判定するための差分閾値、点面積閾値、横線面積閾値、縦線面積閾値、第１濃度面積閾値、及び第２濃度面積閾値である場合を例に取り説明するが、これに限定されるものではない。但し、第１実施形態では、差分閾値の値が固定であることを想定しているため、差分閾値を閾値情報に含めなくてもよい。また、第１実施形態では、上述の欠陥候補領域検出用の閾値を閾値情報に含めていないが、欠陥候補領域検出用の閾値を閾値情報に含めてもよい。
【００４０】
検査部４０４は、欠陥候補領域を構成する各画素を差分閾値と比較して、欠陥候補領域内の異常画素を検出する。そして検査部４０４は、欠陥の種別毎に、当該種別の欠陥候補となる異常画素群を構成する異常画素の数をカウントして、当該種別の欠陥の面積閾値と比較する。この結果、カウントした異常画素数が面積閾値以上であれば、当該異常画素群を当該種別の欠陥に確定するとともに、当該欠陥候補領域に対応する読取画像上の領域を欠陥領域に確定する。
【００４１】
このように検査部４０４は、差分画像上で欠陥の有無を検査することにより、印刷物上の欠陥の有無を検査する。そして、検査部４０４は、検査結果をエンジンコントローラ２に送信する。
【００４２】
表示制御部４０６は、検査部４０４の検査結果を表示部６０に表示する。表示部６０に表示される検査部４０４の検査結果としては、例えば、読取画像のサムネイル画像、及び読取画像上の欠陥領域の拡大画像などが挙げられるが、これらに限定されるものではない。なお、表示制御部４０６は、検査部４０４の検査結果を操作表示部３０２に表示させてもよい。
【００４３】
受付部４０７は、検査部４０４の検査結果とユーザの目視による確認結果との間に矛盾が生じている印刷物上の領域（以下、「ギャップ領域」と称する場合がある）の入力を受け付ける。具体的には、ユーザは、表示部６０に表示された検査部４０４の検査結果と自身の目視による印刷物の確認結果との間でギャップが生じているギャップ領域、即ち、検査部４０４の検査結果では欠陥領域となっているが目視による確認結果では非欠陥領域となっている領域や、検査部４０４の検査結果では非欠陥領域となっているが目視による確認結果では欠陥領域となっている領域の有無を確認する。
【００４４】
そして、ユーザは、ギャップ領域がある場合、操作部７０から、表示部６０に表示された拡大画像上で当該ギャップ領域を指定する指定操作を行い、受付部４０７は、当該指定操作の入力を受け付ける。これにより、受付部４０７は、印刷物上のギャップ領域を指定する指定操作を受け付ける。
【００４５】
なお、表示制御部４０６が、検査部４０４の検査結果を操作表示部３０２に表示させている場合、ユーザは、操作表示部３０２から指定操作を行ってもよい。
【００４６】
特定部４０８は、検査部４０４の検査結果とユーザの目視による確認結果との間に矛盾が生じている印刷物上の領域を特定する。具体的には、特定部４０８は、受付部４０７により受け付けられた指定操作に基づいて、当該指定操作で指定されたギャップ領域を読取画像上で特定することにより、印刷物上のギャップ領域を特定する。
【００４７】
変更部４０９は、特定部４０８により特定された領域で生じた検査部４０４の検査結果とユーザの目視による確認結果との間の矛盾を解消するように閾値情報を変更する。具体的には、変更部４０９は、検査部４０４の検査結果が、特定部４０８により特定されたギャップ領域が欠陥領域であることを示す場合、当該ギャップ領域が非欠陥領域となるように閾値情報を変更する。同様に、変更部４０９は、検査部４０４の検査結果が、特定部４０８により特定されたギャップ領域が非欠陥領域であることを示す場合、当該ギャップ領域が欠陥領域となるように閾値情報を変更する。
【００４８】
この後、検査部４０４は、変更部４０９により変更された閾値情報と、比較部４０５によって生成されている差分画像とに基づいて、印刷物を再検査する。なお、印刷物の再検査手法については、閾値情報が変更された点を除き、上述の検査手法と同様である。
【００４９】
表示制御部４０６は、検査部４０４の再検査結果を表示部６０に表示する。検査部４０４の再検査結果としては、検査結果と同様としてもよいし、検査結果と祖語する内容などとしてもよい。
【００５０】
以下、印刷検査装置４の具体的な動作について説明する。
【００５１】
図５は、印刷検査装置４の処理例を示すフローチャートである。
【００５２】
まず、読取画像取得部４０２は、読取部４０１から印刷物の読取画像を取得する（Ｓ５０１）。
【００５３】
続いて、マスター画像生成部４０３は、印刷物の生成元の元画像に基づいて、マスター画像を生成する（Ｓ５０２）。
【００５４】
続いて、検査部４０４は、閾値情報と、読取画像取得部４０２により取得された読取画像とマスター画像生成部４０３により生成されたマスター画像との差分を示す差分画像と、に基づいて、印刷物を検査する（Ｓ５０３）。
【００５５】
続いて、表示制御部４０６は、検査部４０４の検査結果を表示部６０に表示する（Ｓ５０４）。
【００５６】
図６は、検査部４０４の検査結果の画面例を示す図である。図６に示す例の場合、表示制御部４０６は、検査部４０４の検査結果として、まず、ジョブ一覧画面６０１を表示部６０に表示させる。ジョブ一覧画面６０１は、ジョブ名、ジョブで検知された欠陥の数、及び日時などを含む。
【００５７】
ジョブ一覧画面６０１において、ユーザが、操作部７０から、ジョブを選択する選択操作を行い、受付部４０７が当該選択操作を受け付けると、表示制御部４０６は、ページ一覧画面６０２を表示部６０に表示させる。ページ一覧画面６０２は、ページ、サムネイル画像、及び欠陥検知数などを含む。
【００５８】
ページ一覧画面６０２において、ユーザが、操作部７０から、ページを選択する選択操作を行い、受付部４０７が当該選択操作を受け付けると、表示制御部４０６は、ページ画面６０３を表示部６０に表示させる。ページ画面６０３は、読取画像のサムネイル画像６０４、及び読取画像上の欠陥領域の拡大画像６０５などを含む。サムネイル画像６０４には、拡大画像６０５の位置が分かるように拡大画像６０５で表示する範囲を示す四角が表示される。拡大画像６０５は、欠陥領域を矩形６０６で示す。
【００５９】
図５に戻り、続いて、受付部４０７は、操作部７０から、表示部６０に表示された拡大画像上で当該ギャップ領域を指定する指定操作の入力を受け付ける（Ｓ５０５）。
【００６０】
図７は、ギャップ領域の指定方法例の説明図である。ユーザは、表示部６０に表示された検査部４０４の検査結果と自身の目視による印刷物の確認結果とからギャップ領域を発見した場合、図６で説明したページ画面６０３において、操作部７０から、閾値設定ボタンを押下する押下操作を行う。そして、受付部４０７が当該押下操作を受け付けると、表示制御部４０６は、閲覧モード用のページ画面６０３を閾値設定モード用のページ画面６１１に切り替えて表示部６０に表示させる。
【００６１】
ページ画面６１１の拡大画像６１２では、矩形６１３及び矩形６１４が表示されている。矩形６１３は、欠陥領域、即ち、検査部４０４の検査結果で欠陥領域とされた領域を示す矩形である。矩形６１４は、非欠陥領域、例えば、検査部４０４の検査結果で欠陥候補領域とされたが、欠陥領域とされなかった領域を示す矩形である。第１実施形態では、矩形６１４は、検査部４０４の検査結果で欠陥領域とされなかったが、上述の閾値情報よりも値が厳しい他の閾値情報で検査部４０４が検査した場合、欠陥領域とされる領域を示す矩形とするが、これに限定されるものではない。
【００６２】
そして、ページ画面６１１では、矩形６１３や矩形６１４を選択できる。このため、ユーザは、目視による確認の結果、矩形６１３が示す領域が非欠陥領域であり、矩形６１３が示す領域がギャップ領域であると判断すれば、操作部７０から、矩形６１３をギャップ領域として指定する指定操作を行い、受付部４０７が当該選択操作を受け付ける。同様に、ユーザは、目視による確認の結果、矩形６１４が示す領域が欠陥領域であり、矩形６１４が示す領域がギャップ領域であると判断すれば、操作部７０から、矩形６１４をギャップ領域として指定する指定操作を行い、受付部４０７が当該選択操作を受け付ける。
【００６３】
図５に戻り、続いて、特定部４０８は、受付部４０７により受け付けられた指定操作に基づいて、当該指定操作で指定されたギャップ領域を読取画像上で特定することにより、印刷物上のギャップ領域を特定する（Ｓ５０６）。
【００６４】
続いて、変更部４０９は、特定部４０８により特定されたギャップ領域で生じたギャップを解消するように閾値情報を変更する（Ｓ５０７）。
【００６５】
図８は、検査部４０４が保持する閾値情報を例示する図表である。検査部４０４が保持する閾値情報は複数種類存在するため、図８に示す例では、これらの複数種類の閾値情報が閾値情報テーブル８０１で表現されるものとする。なお、検査部４０４は、ＨＤＤ４０の記憶領域上で閾値情報テーブル８０１を保持している。図８に示す例では、閾値情報テーブル８０１には、設定ａの閾値情報と、設定ｂの閾値情報と、が登録されている。
【００６６】
設定ａの閾値情報及び設定ｂの閾値情報のいずれも、前述の通り、差分閾値、点面積閾値、横線面積閾値、縦線面積閾値、第１濃度面積閾値、及び第２濃度面積閾値で構成されている。設定ｂの閾値情報を構成する各閾値は、設定ａの閾値情報における対応する閾値よりも値が小さくなっており、設定ｂの閾値情報は、設定ａの閾値情報よりも厳しい閾値情報となっている。第１実施形態では、設定ａの閾値情報が検査部４０４による印刷物の検査に用いられる閾値情報であり、設定ｂの閾値情報が図７で説明した他の閾値情報である場合を例に取り説明するが、これに限定されるものではない。
【００６７】
また、検査部４０４は、欠陥候補領域内の異常画素群がいずれの種別の欠陥候補となるかを判定するための種別判定閾値情報をＨＤＤ４０の記憶領域上で保持している。図９は、種別判定閾値情報８０２を示す図表である。図９に示す例では、点状欠陥と線状欠陥との境界となる閾値が２とされている。この場合、異常画素群の長手方向の長さを異常画素群の短手方向の長さで除した結果が２よりも大きければ、異常画素群は、線状欠陥の欠陥候補となり、２よりも小さければ、異常画素群は、点状欠陥の欠陥候補となる。また図９に示す例では、第１濃度欠陥（濃い部分）と第２濃度欠陥（薄い部分）との境界となる閾値が２６とされている。
【００６８】
例えば、図１０に示す異常画素群８０３や図１１に示す異常画素群８０４では、長手方向の長さを短手方向の長さで除した結果が２よりも大きくなるので、異常画素群８０３や異常画素群８０４は線状欠陥の欠陥候補となる。なお、異常画素群８０３は、長手方向が縦方向になるため、縦線の欠陥候補となり、異常画素群８０４は、長手方向が横方向になるため、横線の欠陥候補となる。また例えば、図１２に示す異常画素群８０５では、長手方向の長さを短手方向の長さで除した結果が２よりも小さくなるので、異常画素群８０５は点状欠陥の欠陥候補となる。なお、図１０〜図１２に示す例では、縦方向が主走査方向であり、横方向が副走査方向であるものとする。
【００６９】
図１３は、ギャップ領域が欠陥領域の場合に、非欠陥領域となるように閾値情報を変更する場合の変更手法例の説明図である。図１３に示す例の場合、変更部４０９は、設定ａの閾値情報を構成する各面積閾値と、当該面積閾値に対応する検査部４０４が検査により検出した検出値と、を比較して、設定ａの閾値情報を変更する。なお、検査部４０４が検査により検出した検出値は、前述した、カウントした異常画素数となる。
【００７０】
具体的には、検査部４０４は、前述の通り、欠陥候補領域を構成する各画素を差分閾値と比較して、欠陥候補領域内の異常画素を検出し、欠陥の種別毎に、当該種別の欠陥候補となる異常画素群を構成する異常画素の数をカウントするので、この欠陥の種別毎のカウントした異常画素数が検出値となる。なお、検査部４０４は、種別判定閾値情報８０２を用いて、欠陥候補領域で検出された異常画素で構成される異常画素群がなり得る種別の欠陥候補を判定するので、この判定の結果、なり得ないと判定された種別については、カウントした異常画素数は、０となる。
【００７１】
そして変更部４０９は、設定ａの閾値情報を構成する各面積閾値と、当該面積閾値に対応する検査部４０４が検査により検出した検出値と、を比較し、面積閾値＞検出値の場合、面積閾値を変更せず、面積閾値≦検出値の場合、面積閾値を検出値に１を加えた値に変更する。
【００７２】
図１３に示す例の場合、縦線面積閾値に対応する検出値「２０」が縦線面積閾値「１０」以上であるため（符号９０１参照）、縦線面積閾値を「２１（２０＋１）」に変更し（符号９０２参照）、第１濃度面積閾値に対応する検出値が「３０」が第１濃度面積閾値「１０」以上であるため（符号９０３参照）、第１濃度面積閾値を「３１（３０＋１）」に変更する（符号９０４参照）。これにより、変更後の閾値情報で再検査されれば、いずれの面積閾値においても面積閾値＞検出値となるため、ギャップ領域が欠陥領域ではなく非欠陥領域となる。
【００７３】
図１４は、ギャップ領域が非欠陥領域の場合に、欠陥領域となるように閾値情報を変更する場合の変更手法例の説明図である。図１４に示す例の場合、変更部４０９は、設定ｂの閾値情報を構成する各面積閾値と、当該面積閾値に対応する検査部４０４が検査により検出した検出値と、を比較して、設定ａの閾値情報を変更する。なお、検査部４０４が検査により検出した検出値は、前述した、カウントした異常画素数となる。
【００７４】
具体的には、変更部４０９は、設定ｂの閾値情報を構成する各面積閾値と、当該面積閾値に対応する検査部４０４が検査により検出した検出値と、を比較し、面積閾値≧検出値の場合、面積閾値を変更せず、面積閾値＜検出値の場合、面積閾値を検出値に変更する。
【００７５】
図１４に示す例の場合、縦線面積閾値に対応する検出値「５」が設定ｂの縦線面積閾値「２」を超えているため（符号９０５参照）、設定ａの縦線面積閾値を「５」に変更し（符号９０６参照）、第１濃度面積閾値に対応する検出値が「５」が設定ｂの第１濃度面積閾値「２」を超えているため（符号９０７参照）、設定ａの第１濃度面積閾値を「５」に変更する（符号９０８参照）。これにより、変更後の設定ａの閾値情報で再検査されれば、縦線面積閾値及び第１濃度面積閾値において、面積閾値≦検出値となるため、ギャップ領域が非欠陥領域ではなく欠陥領域となる。
【００７６】
図１５は、図５で説明した処理例以降の印刷検査装置４の処理例を示すフローチャートである。本フローチャートでは、図５に示すフローチャートのＳ５０７において、ギャップ領域が欠陥領域の場合に、非欠陥領域となるように閾値情報を変更した場合以降の処理例を示す。
【００７７】
まず、検査部４０４は、変更部４０９により変更された閾値情報と、比較部４０５によって生成されている差分画像とに基づいて、印刷物を再検査する（Ｓ６０１）。
【００７８】
続いて、検査部４０４は、印刷物の検査結果と再検査結果とを比較し、ギャップ領域以外に、検査結果では欠陥領域であったが、再検査結果では非欠陥領域に変更された領域である影響領域があるか否かを確認する（Ｓ６０２）。
【００７９】
影響領域がある場合（Ｓ６０２でＹｅｓ）、表示制御部４０６は、検査部４０４の再検査結果として、影響領域に関する情報を表示部６０に表示する（Ｓ６０３）。
【００８０】
図１６は、影響領域に関する情報の画面例を示す図である。図１６に示す影響領域画面１１０１では、影響領域が含まれるサムネイル画像、ジョブ名、ページ番号、及びチェックボタン１１０２を含む。チェックボタン１１０２は、「欠陥」と「欠陥でない」が設けられている。ユーザは、図１６に示す影響領域画面１１０１を確認することにより、変更後の閾値情報のギャップ領域以外への影響を把握することができる。
【００８１】
図１５に戻り、続いて、ユーザは、操作部７０を用いて、影響領域毎に、当該影響領域を非欠陥領域として問題なければ、チェックボタン１１０２の「欠陥でない」を選択する承認操作を行う。これにより、受付部４０７は、操作部７０から、承認操作の入力を受け付ける（Ｓ６０４）。
【００８２】
続いて、検査部４０４は、受付部４０７により承認操作の入力が受け付けられると、印刷物の検査結果を再検査結果で更新する（Ｓ６０５）。これにより、影響領域に該当する欠陥領域の情報が印刷物の検査結果から削除される。
【００８３】
なお、Ｓ６０４において、ユーザは、操作部７０を用いて、影響領域毎に、当該影響領域を非欠陥領域として問題があれば、チェックボタン１１０２の「欠陥」を選択する非承認操作を行う。これにより、受付部４０７は、操作部７０から、非承認操作の入力を受け付ける（Ｓ６０４）。なお、検査部４０４は、受付部４０７により非承認操作の入力が受け付けられた場合、印刷物の検査結果を再検査結果で更新しない。
【００８４】
なお、本フローチャートを、図５に示すフローチャートのＳ５０７において、ギャップ領域が非欠陥領域の場合に、欠陥領域となるように閾値情報を変更した場合に実行するようにしてもよい。この場合、影響領域を、ギャップ領域以外に、検査結果では非欠陥領域であったが、再検査結果では欠陥領域に変更された領域とすればよい。
【００８５】
以上のように第１実施形態によれば、ギャップ領域に生じたギャップを解消するように、閾値情報を変更するため、ユーザの意図に沿った値に容易に変更できる。また第１実施形態によれば、変更後の閾値情報での再検査結果が表示されるため、変更後の閾値情報による影響をユーザは把握できる。
【００８６】
（変形例１）
第１実施形態において、変更後の閾値情報を反映するか否かをユーザに選択させるようにしてもよい。この場合、表示制御部４０６は、図１７に示す閾値情報変更確認画面１２０１を表示部６０に表示する。図１７に示す閾値情報変更確認画面１２０１は、設定項目（閾値情報を構成する各閾値の項目）、変更前の設定ａの値、変更後の設定ａの値、及び変更有無を含む。値が変更された設定項目の変更有無には、反映ボタン１２０２が表示されるので、ユーザは、操作部７０を用いて、反映ボタン１２０２を押下する押下操作を行うことにより、受付部４０７は、操作部７０から、押下操作の入力を受け付け、変更部４０９が閾値情報の変更を確定する。
【００８７】
（第２実施形態）
第２実施形態では、ギャップ領域を自動で特定する例について説明する。以下では、第１実施形態との相違点の説明を主に行い、第１実施形態と同様の機能を有する構成要素については、第１実施形態と同様の名称・符号を付し、その説明を省略する。
【００８８】
図１８は、印刷検査システム２００９におけるエンジンコントローラ２、プリントエンジン３及び印刷検査装置２００４の機能構成例を示すブロック図である。図１８に示すように、読取部２４０１、読取画像取得部２４０２、特定部２４０８、及び変更部２４０９が第１実施形態と相違する。
【００８９】
読取部２４０１は、印刷部３０１によって生成され、検査部４０４の検査結果とユーザの目視による確認結果との間に矛盾が生じている領域がユーザにより指定された印刷物を読み取って読取画像を生成し、出力する。
【００９０】
読取画像取得部２４０２は、検査部４０４の検査結果とユーザの目視による確認結果との間に矛盾が生じている領域がユーザにより指定された印刷物を読み取った読取画像（第２の読取画像の一例、以下、「指定読取画像」と称する）を取得する。具体的には、読取画像取得部２４０２は、読取部２４０１から印刷物の指定読取画像を取得し、特定部２４０８へ出力する。
【００９１】
例えば、受付部４０７が、操作部７０から閾値設定モードを設定する操作を受け行け、印刷検査装置２００４が閾値設定モードである状態で、検査部４０４の検査結果とユーザの目視による確認結果との間に矛盾が生じている領域がユーザにより指定された印刷物を読取部２４０１に読み取らせる。読取画像取得部２４０２は、印刷検査装置２００４が閾値設定モードである場合、読取画像を特定部２４０８へ出力するようにすれば、指定読取画像を検査部４０４ではなく特定部２４０８へ出力できる。
【００９２】
特定部２４０８は、読取画像取得部２４０２により取得された指定読取画像に基づいて、検査部４０４の検査結果とユーザの目視による確認結果との間に矛盾が生じている領域を特定する。
【００９３】
検査部４０４の検査結果とユーザの目視による確認結果との間に矛盾が生じている領域であるギャップ領域は、印刷物に付与されたシンボルで指定される。そして、特定部２４０８は、指定読取画像上で当該シンボルを検出し、当該シンボルに基づいてギャップ領域を特定する。なお特定部２４０８は、検出したシンボルの種別に応じた特定方法で、ギャップ領域を特定する。
【００９４】
変更部２４０９は、特定部２４０８により検出されたシンボルの属性に基づいて、ギャップ領域での検査部４０４の検査結果とユーザの目視による確認結果との間の矛盾を解消するように閾値情報を変更する。
【００９５】
以下、ギャップ領域の具体的な特定手法について説明する。
【００９６】
まず、シンボルがペンによるしるしである場合の特定手法について説明する。
【００９７】
図１９は、印刷物上のギャップ領域をユーザがペンでしるしを付与することで指定する方法の説明図である。ユーザは、印刷物上のギャップ領域を見つけ（１３０１）、ペン２００２を使ってギャップ領域を囲むようにしるしをつける（１３０２）。ここでは、例えば青色などの有色のペン２００２で、印刷物上の２箇所のギャップ領域をまるで囲む例を示している。そして、読取部２４０１は、シンボルがつけられた印刷物を読み取ってＲＧＢの３つのビットマップデータを生成し（１３０３）、読取画像取得部２４０２が取得する。
【００９８】
図２０は、シンボルがペンによるしるしである場合のギャップ領域の特定手法の説明図である。図２１は、シンボルがペンによるしるしである場合のギャップ領域の特定処理を示すフローチャートである。
【００９９】
ステップ１３００（Ｓ１３００）において、特定部２４０８は、読取画像取得部２４０２からＲＧＢの３つのビットマップデータ（以下、「ＲＧＢデータ１３０３」と称する）を受け取る。
【０１００】
ステップ１３０２（Ｓ１３０２）において、特定部２４０８は、ＲＧＢデータ１３０３から印刷物の地肌の色データ（詳細には、印刷物の用紙の地肌の色データ）を差し引き、地肌の色の影響を除去する。なお、印刷物の地肌の色データは、例えば、用紙情報として、エンジンコントローラ２などで管理されている。
【０１０１】
ステップ１３０４（Ｓ１３０４）において、特定部２４０８は、ＲＧＢデータ１３０３と予め設定されたペンのＲＧＢデータテーブル１４０１に登録されているペン２００２のＲＧＢ値とを比較する。そして、特定部２４０８は、ＲＧＢデータ１３０３のＲデータにおいては、ペン２００２のＲ値と近似する画素にフラグを立て、ＲＧＢデータ１３０３のＧデータにおいては、ペン２００２のＧ値と近似する画素にフラグを立て、ＲＧＢデータ１３０３のＢデータにおいては、ペン２００２のＢ値と近似する画素にフラグを立てることで、ＲＧＢデータ１４０２を生成する。
【０１０２】
図２２は、ＲＧＢデータテーブル１４０１を例示する図表である。図２２に示すように、ＲＧＢデータテーブル１４０１は、ペンの固有ＩＤ、ペンのＲＧＢ値、及び属性を示している。ここで属性とは、ペンの種類により変更対象の閾値を変える場合であれば、変更対象の閾値（例えば、点面積閾値、横線面積閾値、縦線面積閾値、第１濃度面積閾値、及び第２濃度面積閾値のいずれか）を示す。また例えば、ペンの種類により閾値情報を変更したユーザを特定したいのであれば、属性は、ペンを使用する（ペンの所有者の）ユーザを示す。
【０１０３】
なお、ユーザがＲＧＢデータテーブル１４０１に登録されている複数種類のペンを使用して、しるしをつけている場合、特定部２４０８は、使用したペン毎に、ＲＧＢデータ１４０２を生成する。
【０１０４】
ステップ１３０６（Ｓ１３０６）において、特定部２４０８は、ＲＧＢデータ１４０２のＲデータ、Ｇデータ、及びＢデータの全てでフラグが立っている画素を特定し、当該画素で囲まれた領域を印刷物上のギャップ領域（１４０３）に確定する。
【０１０５】
ステップ１３０８（Ｓ１３０８）において、特定部２４０８は、確定したギャップ領域のギャップ領域一覧１４０４を生成する。
【０１０６】
図２３は、ギャップ領域一覧１４０４の具体例を示す図表である。図２３に示すように、ギャップ領域一覧１４０４は、属性と、しるしの最上部、最下部、最右部、最左部それぞれの基準点からのＸ座標及びＹ座標とを示す。基準点は印刷検査装置２００４が保持する位置とする。
【０１０７】
そして特定部２４０８は、ギャップ領域一覧１４０４からＲＧＢデータ１３０３上でそれぞれのギャップ領域１４０５の位置を特定し、変更部２４０９は、特定部２４０８により検出されたしるしの属性に基づいて、ギャップ領域でのギャップを解消するように閾値情報を変更する。
【０１０８】
例えば、属性が変更対象の閾値を示すのであれば、変更部２４０９は、属性が示す変更対象の閾値を変更し、属性がペンを使用するユーザを示すのであれば、属性が示すユーザを、閾値情報の変更者とした履歴を残す。
【０１０９】
次に、シンボルが付箋によるしるしである場合の特定手法について説明する。
【０１１０】
図２４は、シンボルが付箋によるしるしである場合のギャップ領域の特定手法の説明図である。
【０１１１】
ユーザは、印刷物上のギャップ領域を見つけ、付箋２０００を使ってギャップ領域の近辺にしるしをつける（１５０１）。
【０１１２】
続いて、特定部２４０８は、付箋２０００のＲＧＢデータを参照し、しるしの位置を特定する（１５０３）。しるしの位置の特定については、シンボルがペンによるしるしの場合と同様の手法で特定できる。但し、ＲＧＢデータテーブル１４０１の代わりに、予め設定された付箋のＲＧＢデータテーブル１５０２を用いる。
【０１１３】
シンボルが付箋によるしるしの場合、シンボルがペンによるしるしの場合と異なり、しるしの位置を特定しただけではギャップ領域を特定できない。このため、特定部２４０８は、例えば、付箋の基準点を中心として円を少しずつ大きくし、円が異常画素に触れたら、触れた点を中心に円を反映したい箇所が途切れるまで（円が異常画素に触れなくなるまで）広げることにより（１５０４）、ギャップ領域１５０６を特定する。また例えば、特定部２４０８は、付箋の基準点を中心として円を少しずつ大きくしていき、円が異常画素に触れた後も反映したい箇所が途切れるまで（円が異常画素に触れなくなるまで）広げることにより（１５０５）、ギャップ領域１５０６を特定する。なお、いずれの例でも、付箋の基準点を付箋の左中央に固定しているが、これに限定されるものではない。
【０１１４】
次に、シンボルが付箋及びペンによるしるしである場合の特定手法について説明する。これは、付箋のみだと、付箋の一部が用紙からはみ出た場合、特定されたギャップ領域が印刷物の領域外となってしまうことを防止するためである。
【０１１５】
図２５は、シンボルが付箋及びペンによるしるしである場合のギャップ領域の特定手法の説明図である。
【０１１６】
ユーザは、印刷物上のギャップ領域を見つけ、付箋２０００を使ってギャップ領域の近辺にしるしをつけるとともに、ギャップ領域に近接する付箋２０００の角へペン２００２でしるしをつける（１６０１）。
【０１１７】
続いて、付箋によるしるしの位置の特定については、シンボルが付箋によるしるしの場合と同様の手法で特定でき、ペンによるしるしの位置の特定については、シンボルがペンによるしるしの場合と同様の手法で特定できる。そして、特定部２４０８は、例えば、ペンによるしるしに近い付箋２０００の角を基準点として、上述の手法でギャップ領域を特定する（１６０２）。
【符号の説明】
【０１１８】
１  ＤＦＥ
２  エンジンコントローラ
３  プリントエンジン
４、２００４  印刷検査装置
５  情報処理装置
９、２００９  印刷検査システム
６０  表示部
７０  操作部
４０１、２４０１  読取部
４０２、２４０２  読取画像取得部
４０３  マスター画像生成部
４０４  検査部
４０５  比較部
４０６  表示制御部
４０７  受付部
４０８、２４０８  特定部
４０９、２４０９  変更部
【先行技術文献】
【特許文献】
【０１１９】
【特許文献１】特許第４６７７７１８号公報
【図１】
0006613641.tif 000002
【図２】
0006613641.tif 000003
【図３】
0006613641.tif 000004
【図４】
0006613641.tif 000005
【図５】
0006613641.tif 000006
【図６】
0006613641.tif 000007
【図７】
0006613641.tif 000008
【図８】
0006613641.tif 000009
【図９】
0006613641.tif 000010
【図１０】
0006613641.tif 000011
【図１１】
0006613641.tif 000012
【図１２】
0006613641.tif 000013
【図１３】
0006613641.tif 000014
【図１４】
0006613641.tif 000015
【図１５】
0006613641.tif 000016
【図１６】
0006613641.tif 000017
【図１７】
0006613641.tif 000018
【図１８】
0006613641.tif 000019
【図１９】
0006613641.tif 000020
【図２０】
0006613641.tif 000021
【図２１】
0006613641.tif 000022
【図２２】
0006613641.tif 000023
【図２３】
0006613641.tif 000024
【図２４】
0006613641.tif 000025
【図２５】
0006613641.tif 000026